(57)【要約】【課題】予めサイレンサーの端末部分に取付けられて、押込みだけでサイレンサーをボデーパネルに取付けることができる、サイレンサー端末留め用のクリップを提供する。【解決手段】クリップ１は、シート状部材２の端末部分を保持する挟持片１０を持つ端末保持部５と、シート状部材へ固定するパネル保持部１４を持つ固定部６と、端末保持部と固定部を旋回可能に連結するヒンジ７とを備え、端末保持部５が固定部６に対して折曲状態に維持されるロック手段（２１、２２）が設けられ、折曲状態にある端末保持部５の挟持片１０は固定部６のパネル保持部１４と協働して被取付部材の取付手段を形成し、シート状部材２は折曲げた状態で被取付部材３に取付けられる。【選択図】図５
2010144797.tif 000002
【特許請求の範囲】
【請求項１】
サイレンサー等のシート状部材の端末部分をボデーパネル等の被取付部材に取付ける、シート状部材端末留め用のクリップであって、
前記シート状部材の端末部分を保持する端末保持部と、前記シート状部材に取付けられる固定部と、前記端末保持部が前記固定部に対して折曲がるように、前記端末保持部と前記固定部を旋回可能に連結するヒンジとを備え、
前記固定部には前記シート状部材への固定手段が設けられており、前記固定部と前記端末保持部には、前記端末保持部が前記固定部に対して折曲がった状態に維持されるロック手段が設けられており、
前記被取付部材への取付け手段が、前記折曲状態にロックされた前記端末保持部と前記固定部とによって形成されており、
前記端末保持部は、前記固定部に対して前記ヒンジ回りに旋回して、前記ロック手段によって前記折曲げた状態にロックされ、前記端末保持部に保持した前記シート状部材の端末部分が前記固定部に固定された該シート状部材の他の部分に対して折曲げた状態で前記クリップが該シート状部材に取付けられる、
ことを特徴とするクリップ。
【請求項２】
請求項１に記載のクリップにおいて、前記端末保持部は、板状部と、該板状部との間に前記シート状部材の端末を挟持する挟持片とを有し、該挟持片は、前記板状部から前記シート状部材の厚さに等しいかそれよりやや小さい高さ離れて該板状部の先端から前記ヒンジに向けて細長く延びる弾性片として形成され、前記板状部と前記挟持片の間に前記シート状部材の端末部分を弾性的に挟持する、ことを特徴とするクリップ。
【請求項３】
請求項２に記載のクリップにおいて、前記固定部は、板状の基部と、前記端末保持部が折れ曲がる側の前記基部の面から直立して延びる剛性のパネル保持部とを備えており、前記被取付部材への取付け手段が、前記折曲状態にある前記端末保持部の前記挟持片と前記パネル保持部とによって形成されて、該挟持片と該パネル保持部との間に前記被取付部材の取付部を挟持する、ことを特徴とするクリップ。
【請求項４】
請求項３に記載のクリップにおいて、前記パネル保持部は前記固定部の基部に２つ設けられ、該２つのパネル保持部の中間には、前記端末保持部が前記ヒンジ回りに旋回するとき前記挟持片が前記パネル保持部に干渉せずに入り込める空間が形成されており、前記パネル保持部の剛性と前記２つのパネル保持部に入り込んだ前記挟持片の弾性とによって、前記挟持片と前記パネル保持部との間に被取付部材の取付部が強固に挟持される、ことを特徴とするクリップ。
【請求項５】
請求項３又は４に記載のクリップにおいて、前記パネル保持部は、前記端末保持部によって保持した前記シート状部材の取付穴に挿入される位置に、前記固定部の基部から突出しており、該パネル保持部の根元の部分には、前記シート状部材の取付穴の縁部に係止する係止肩が形成されて、該パネル保持部が、前記シート状部材への固定手段として作用して、前記固定部が前記シート状部材に固着される、ことを特徴とするクリップ。
【請求項６】
請求項１〜５のいずれか１項に記載のクリップにおいて、前記ロック手段は、前記ヒンジに隣接する位置において前記端末保持部又は前記固定部の一方に設けられたロック爪と前記端末保持部又は前記固定部の他方に設けられた前記ロック爪が挿入できる係止穴の係止肩とで形成されている、ことを特徴とするクリップ。
【請求項７】
請求項１〜６のいずれか１項にクリップにおいて、前記端末保持部が保持されるシート状部材の前記端末部分には、該端末保持部によって保持するための切欠きが形成されている、ことを特徴とするクリップ。
【発明の詳細な説明】
【技術分野】
【０００１】
本発明は、例えば、自動車のエンジンルームと乗員側の室内との間に遮音等のために設けられるサイレンサー等のシート状部材の端末をボデーパネル等の被取付部材に留める、クリップに関する。
【背景技術】
【０００２】
遮音等のためのサイレンサーをボデーパネルに取付けるのにクリップが用いられる。特許文献１（特開平９−１５６４３１号公報）には、ボデーパネルに相当するダッシュパネルの補強パネルにダッシュサイレンサーを固定するため、ダッシュサイレンサーの端末部分を補強パネルの取付穴に挿入してそのサイレンサーを補強パネルに固定するクリップが記載されている。このクリップは、取付穴への押込みでサイレンサーの端末をパネルに固定でき、サイレンサーの端末部分の固定作業を容易にしている。
【０００３】
【特許文献１】特開平９−１５６４３１号公報
【特許文献２】特開２０００−０３８０７４号公報
【特許文献３】実開平５−０８２６９７号公報
【特許文献４】実開平３−０９８１６７号公報
【発明の開示】
【発明が解決しようとする課題】
【０００４】
特許文献１のクリップは、固定作業が容易であるものの、サイレンサーの端末部分をパネルに沿わせて保持した状態で、クリップをパネルの取付穴に挿入するので、サイレンサーの端末部分の保持作業を必要とする。サイレンサーの端末部分をパネルに沿わせて保持する作業を必要とせずに、サイレンサーの端末をパネルに固定できれば、更に、固定作業が向上する。
【０００５】
特許文献２は、カーペットの端末をボデーパネルに取付ける留め具となるリテーナを記載している。このリテーナは、カーペットの端末の支持のため、緊帯針と称する保持部材を別に必要としており、従って、リテーナをパネルに取付ける作業の外に、保持部材によってカーペット端末をリテーナに保持する作業を必要としている。特許文献３は、ダッシュパネルに遮音や断熱等のためのインシュレータを取付ける固定具を記載している。固定具は、特定の細長い形状の押さえ部材であり、ダッシュパネルに立設された係止ピンを、固定具の両端に設けられた固定部に挿入して固定する構成である。インシュレータをダッシュパネルに取付けるには、インシュレータをダッシュパネルに沿わせた状態に保持し、固定具をインシュレータのおもて面から押さえて固定具の両端の固定部をインシュレータを貫通した係止ピンに合わせて押込む。従って、特許文献１のクリップのように、サイレンサーの端末部分の保持作業を必要とする。特許文献４には、特許文献３の固定具より前の固定具が記載されている。この固定具は、ダッシュパネルに沿わせて保持したインシュレータの上からインシュレータの端末部分に沿わせて保持し、その後、固定具の係止片をダッシュパネルに形成された係止ピンに押込んで留める構成である。従って、この固定具は、固定具を係止ピンに押込む作業の外に、インシュレータを保持する作業を必要とし、更に、固定具をインシュレータに沿わせる作業も必要とする。
【０００６】
従って、本発明の目的は、予めサイレンサー等のシート状部材の端末部分に取付けられて、ボデーパネル等の被取付部材には、押込みだけでサイレンサーを取付けることができる、シート状部材の端末留め用のクリップを提供するにある。
【課題を解決するための手段】
【０００７】
上記目的を達成するため、本発明は、サイレンサー等のシート状部材の端末部分をボデーパネル等の被取付部材に取付ける、シート状部材端末留め用のクリップであって、シート状部材の端末部分を保持する端末保持部と、シート状部材に取付けられる固定部と、端末保持部が固定部に対して折曲がるように、端末保持部と固定部を旋回可能に連結するヒンジとを備え、固定部にはシート状部材への固定手段が設けられており、固定部と端末保持部には、端末保持部が固定部に対して折曲がった状態に維持されるロック手段が設けられており、被取付部材への取付け手段が、折曲状態にロックされた端末保持部と固定部とによって形成されており、端末保持部は、固定部に対してヒンジ回りに旋回して、ロック手段によって折曲げた状態にロックされ、端末保持部に保持したシート状部材の端末部分が固定部に固定されたシート状部材の他の部分に対して折曲げた状態でクリップがシート状部材に取付けられる、ことを特徴とするクリップを提供する。
【０００８】
上記クリップによって、クリップがシート状部材に予め取付けられ、クリップが取付けられたシート状部材の端末部分は折れ曲がった状態に維持され、その折曲端末部分をボデーパネル等の被取付部材に密着させることができ、ＮＶ性能（ノイズ（騒音）及びバイブレーション（振動）を抑制する性能）を高く維持でき、シート状部材を被取付部材に取付ける作業も、折曲状態にロックされた端末保持部と固定部との間に被取付部材の取付部を挿入するように押込むだけの簡単な作業でよい。
【０００９】
上記クリップにおいて、端末保持部は、板状部と、板状部との間にシート状部材の端末を挟持する挟持片とを有し、挟持片は、板状部からシート状部材の厚さに等しいかそれよりやや小さい高さ離れて板状部の先端からヒンジに向けて細長く延びる弾性片として形成され、板状部と挟持片の間にシート状部材の端末部分を弾性的に挟持する。固定部は、板状の基部と、端末保持部が折れ曲がる側の基部の面から直立して延びる剛性のパネル保持部とを備えており、被取付部材への取付け手段が、折曲状態にある端末保持部の挟持片とパネル保持部とによって形成されて、挟持片とパネル保持部との間に被取付部材の取付部を挟持する。パネル保持部は固定部の基部に２つ設けられ、該２つのパネル保持部の中間には、端末保持部がヒンジ回りに旋回するとき挟持片がパネル保持部に干渉せずに入り込める空間が形成されており、パネル保持部の剛性と２つのパネル保持部に入り込んだ挟持片の弾性とによって、挟持片とパネル保持部との間に被取付部材の取付部が強固に挟持されれる。パネル保持部は、端末保持部によって保持したシート状部材の取付穴に挿入される位置に、固定部の基部から突出しており、パネル保持部の根元の部分には、シート状部材の取付穴の縁部に係止する係止肩が形成されて、該パネル保持部が、シート状部材の固定手段として作用して、固定部がシート状部材に固着される。これによって、シート状部材を被取付部材に取付ける操作は、挟持片とパネル保持部の間に被取付部材の取付部を挿入するだけでよく、極めて簡単に行える。ロック手段は、ヒンジに隣接する位置において端末保持部又は固定部の一方に設けられたロック爪と端末保持部又は固定部の他方に設けられた、ロック爪が挿入できる係止穴の係止肩とで形成されている。なお、クリップは、硬質プラスチック材料で一体成形されて成る。また、端末保持部が保持されるシート状部材の端末部分には、端末保持部によって保持するための切欠きが形成されている。
【発明を実施するための最良の形態】
【００１０】
図面を参照して、本発明の１実施形態に係る、シート状部材の端末留め用のクリップ１を説明する。シート状部材としてのサイレンサー２の端末を、被取付部材であるボデーパネル３に留めるクリップ１は、硬質プラスチックの一体成形品で成る。図１〜図３は、それぞれ、成形後であって使用前の非折曲状態にあるクリップ１の斜視図、正面図及び右側面図を示している。図４は、サイレンサー２に取付ける折曲状態にあるクリップ１の斜視図を示している。図５及び図６は、クリップ１をサイレンサー２の端末部分に取付ける操作を示す図である。図７〜図９は、それぞれ、サイレンサー２に取付けられたクリップ１を用いて、サイレンサー２をボデーパネル３に取付けた状態の断面図、背面からの斜視図及び、正面からの斜視図である。なお、図９では説明の便宜上、サイレンサー２を省略して、クリップ１とボデーパネル３の取付け関係を示している。
【００１１】
図１〜図４を参照して、クリップ１の構成を説明する。クリップ１は、サイレンサー２の端末を直角若しくはそれ以上に折り曲げて保持する、ほぼ矩形の板状に形成された端末保持部５と、サイレンサーに固定する基部となる、ほぼ矩形の板状に形成された固定部６と、端末保持部５と固定部６との間にあって端末保持部５を固定部６に対して旋回可能に連結する、薄肉の帯状の弾性ヒンジ７とを備える。端末保持部５は、板状部９と、板状部９との間にサイレンサー２の端末を挟持する、弾性の挟持片１０とを有する。挟持片１０は、板状部９から所定の高さ（サイレンサー２の厚さに等しいかそれよりやや低い高さ）離れて板状部９の先端からヒンジ７に向けて細長く延びる弾性片として形成され、板状部９との間にサイレンサー２の端末部分を弾性的に挟持する。挟持片１０の先端１１は、サイレンサー２の受入れを容易にする広口形状に傾斜している。その挟持片１０は、更に、サイレンサー２を保持する面と反対側の面が、ボデーパネル３の挟持面として形成されている。ボデーパネル３の挟持のため、挟持片１０には、図３に図示の板状部９に対して一定の間隔離した状態に復元する弾性が与えられ、後述のように、固定部６のパネル保持部１４と協働してボデーパネル３を挟持する。挟持片１０は、端末保持部５がヒンジ７回りに旋回して固定部６に対して折れ曲がった状態にロックされると、固定部６の基部１１から直立するボデーパネル３のパネル保持部１４と協働して、被取付部材としてのボデーパネル３への取付手段を構成し、挟持片１０とパネル保持部１４との間にボデーパネル３の取付部（図７〜図９参照）を弾性的に挟持する。サイレンサー２をボデーパネル３に取付ける操作が、サイレンサー２に取付けられたクリップ１の挟持片１０とパネル保持部１４の間にボデーパネル３の取付部３０を挿入するだけでよく、極めて簡単に行える。
【００１２】
固定部６は、板状の基部１３と、端末保持部５が折れ曲がる側の基部面から直立して延び且つ端末保持部５の挟持片１０と協働してボデーパネル３を挟持する、２つの剛性のパネル保持部１４とを備えている。２つのパネル保持部１４の中間には、端末保持部５がヒンジ７の回りに旋回するとき挟持片１０が干渉しないようにするための空間が設けられている。更に、２つのパネル保持部１４は、ボデーパネル３への挟持の外に、サイレンサー２に取付けられるサイレンサー固定部としても機能する。すなわち、２つのパネル保持部１４は、基部１３から直立してサイレンサー２に形成された取付穴２３（図５）に挿入される。各パネル保持部１４の根元の部分には、取付穴２３から延び出る位置において、サイレンサー２の取付穴の縁部に係止する係止肩１５を形成する切欠き１７が形成されている。係止肩１５の位置は、基部１３から直立するパネル保持部１４の長手方向において、基部１３の表面からサイレンサー２の厚さに対応した高さ位置に形成されている。また、各パネル保持部１４は、係止肩１５を形成するとともに、サイレンサー２の取付穴に挿入し易いように、切欠き１７より先端の部分が先端に向けて下方に傾斜する水平面１８として形成されている。パネル保持部１４がサイレンサー２の取付穴（図６参照）に挿入されて取付穴から出た係止肩１５が取付穴の縁部に係止すると、固定部６がサイレンサー２に固着されて、クリップ１がサイレンサー２に固着される。
【００１３】
ヒンジ７は、端末保持部５の板状部９と固定部６の基部１３を旋回可能に連結する薄肉の細長い帯状に形成される。図示の実施形態において、ヒンジ７において滑らかな旋回を可能にするように中間部分には長穴１９が形成されている。ヒンジ７は、図１〜図３に図示のように、端末保持部５に旋回する力が作用しない限り、端末保持部５を固定部６からから立ち上がる姿勢に維持する弾性を有する。
【００１４】
端末保持部５及び固定部６には、端末保持部５が図１の非折曲状態から図４の折曲状態に旋回した状態でその折曲状態を維持するロック手段が設けられて折曲状態を維持する。固定部６には、ヒンジ７に隣接する両側縁に、一方のロック手段としてのロック爪２１が形成されている。端末保持部５には、一対のロック爪２１に対応する位置に、ロック爪２１が貫通するとともに貫通後ロック爪２１が係止する他方のロック手段としての係止肩を形成する係止穴２２が形成されている。図示の例では、係止肩は、係止穴２２の縁部である。一対のロック爪２１のそれぞれが、一対の係止穴２２の対応する係止肩のそれぞれに係止することによって、図４の折曲状態が維持される。なお、係止穴２２は、ヒンジ７において旋回が斜めに行われないようにし且つ旋回を滑らかに行うためのガイドとしても機能する。また、各ロック爪２１は係止穴２２を通過するときに撓んで係止穴２２を通過し終えると元の姿勢に戻る弾性を有する。
【００１５】
端末保持部５は、図１〜図３の非折曲状態から、固定部６に対して図４に示す折曲状態にヒンジ７回りに旋回して、折曲状態においてロックされる。折曲状態において、端末保持部５の板状部９と挟持片１０の間に保持されたサイレンサー２の端末が直角又はそれ以上の折曲げられた状態に保持される。折曲げ状態のロックは、固定部６の一対のロック爪２１が、端末保持部５の係止穴２２を貫通して係止穴縁部の係止肩に係止することによって得られる。折曲状態において、端末保持部５の挟持片１０は、固定部６の２つのパネル保持部１４の中間の空間に入り込む。挟持片１０は弾性アームとして形成されており、２つのパネル保持部１４は基部１３から突出する剛性の突出アームとして形成されているので、挟持片１０とパネル保持部１４とは、両方が、ボデーパネル３への取付手段を構成する。従って、挟持片１０とパネル保持部１４の間にボデーパネル３の取付部（図７〜図９参照）を受入れてその取付部に係止して、クリップ１が、サイレンサー２とともにボデーパネル３に取付けられる。この取付けのために、図４の折曲状態において、挟持片１０はパネル保持部１４の間の空間に入り込んでボデーパネル３の取付部が挿入されるとその両面を強く挟持する。また、ボデーパネル３の取付部を受入れ易いように、一方の取付手段となるパネル保持部１４の先端は、下方に傾斜した水平面１８を有する、先細形状のガイドとして形成される。なお、挟持片１０には、受入れたボデーパネル３の取付部に弾性的に押圧する弾性が与えられ、受入れた取付部に強く係止する。
【００１６】
クリップ１をサイレンサー２に取付ける構成について、図１〜図４に、更に図５を加えて説明する。２つのパネル保持部１４は、基部１３から垂直の状態（図１〜図３）でサイレンサー２の取付穴２３に挿入される。パネル保持部１４が、取付穴２３を貫通すると、根元部の切欠き１７によって水平面１８が切れた部分に形成された係止肩１５に取付穴２３の縁部が係止する。これによって、パネル保持部１４がサイレンサー２に係止してこの部分がサイレンサー２に取付けられる。他方で、端末保持部５の板状部９と挟持片１０の間にはサイレンサー２の端末部分が挟持され、この部分でもクリップ１はサイレンサー２に取付けられる。挟持片１０と板状部９の間にサイレンサー２を挟持した状態で、図４に示すように、端末保持部５をヒンジ７回りに旋回させる。この操作を以下に説明する。
【００１７】
クリップ１をサイレンサー２に取付ける操作を、図５及び図６を参照して説明する。サイレンサー２には、パネル保持部１４のための取付穴２３の外に、端末部分２５に、クリップ１の端末保持部５の挟持片１０を受入れる切欠き２６が形成されている。なお、サイレンサー２は、例えば、車両のエンジンルームと車室内との間に遮音等のために設けられるソフト（柔軟）な防音性能の高い樹脂材料のシート部材で成る。サイレンサー２の図示の形状は単なる例示であり、被取付部材であるボデーパネルや他のパネルの形状に合わせて任意の形状に形成される。なお、クリップ１の取付けのため、サイレンサー２には、上記のように、所定の位置に取付穴２３が形成され、端末に切欠き２６が形成される。作業者は、図５に示すように、非折曲状態のクリップ１をもって、端末保持部５の挟持片１０の先端１１をサイレンサー２の切欠き２６に合わせ、基部１１と挟持片１０の間に切欠き２６のサイレンサー２の端末部分２５を受入れた状態で、クリップ２を図５の下方に引き下げ、端末保持部５の板状部９とと挟持片１０の間にサイレンサー２の端末部分２５を挟持させる。この挟持操作のとき、作業者は、固定部６の２つのパネル保持部１４を取付穴２３に挿入し（矢印２７）、パネル保持部１４の係止肩１５を取付穴２３の縁部に係止させて、パネル保持部１４をサイレンサー２に取付ける。従って、クリップ１は、サイレンサー２にその端末部分と取付穴２３の部分において連結されて、サイレンサー２に取付けられる。
【００１８】
次に、図６の矢印２９に示すように、端末保持部５をヒンジ７回りに旋回させて、端末保持部５を固定部６に対して、サイレンサー２の端末部分２５と一緒に直角又はそれ以上に折り曲げる。この折曲状態は、固定部６のロック爪２１が端末保持部５の係止穴２２を貫通して係止穴縁部の係止肩に係止することによってロックされて維持される。従って、サイレンサー２の端末部分２５は、クリップ１によって折曲状態に維持される。このように、クリップ１で端末部分３４が折曲状態にされたサイレンサー２は、例えば、端末部分２５がボデーパネル３の取付部３０（図７〜図９）に密着した状態でボデーパネル３に固定でき、それによって、防音効果又は遮音効果を高く維持でき、また、位置ずれの防止もできる。図９は、クリップ１に取付けたサイレンサー２を省略して、端末保持部５の挟持片１０とパネル保持部１４の間に、ボデーパネル３の取付部３０が強固に挟持される様子を示している。
【００１９】
クリップ１が取付けられて端末部分２５が折り曲げられたサイレンサー２を、ボデーパネル３に取付ける操作を、図７〜図９を参照して説明する。作業者は、サイレンサー２の端末部分２５に取付けられたクリップ１の挟持片１０とパネル保持部１４と（挟持片１０とパネル保持部１４によって取付手段を構成する）の間にボデーパネル３の取付部３０を受入れて押込む（図７の矢印３１）だけでよい。この押込みによって、挟持片１０とパネル保持部１４との間に受入れられたボデーパネル３の取付部３０は、挟持片１０とパネル保持部１４に強固に挟持され、クリップ１に取付けられたサイレンサー２が、ボデーパネル３に取付けられる。この取付けによって、図８に図示のように、サイレンサー２は、ボデーパネル３に密着するように取付けられる。特に、サイレンサー２は、端末部分２５がボデーパネル３の取付部３０に密着した状態でボデーパネル３に固定されるので、位置ずれが防止でき、ＮＶ性能を高く維持できる。また、サイレンサー２をボデーパネル３に取付ける操作は、サイレンサー２に取付けられたクリップ１の挟持片１０とパネル保持部１４の間にボデーパネル３の取付部３０を挿入するだけでよく、極めて簡単に行える。なお、サイレンサー２は、必要に応じて面積を大きくすることができ、その場合には、複数のクリップ１をサイレンサー２の端末部分に取付けるようにしてもよい。
【図面の簡単な説明】
【００２０】
【図１】本発明の１実施形態に係る、非折曲状態のクリップの斜視図である。
【図２】図１のクリップの正面図である。
【図３】図２のクリップの右側面図である。
【図４】図１のクリップを折曲状態にした斜視図である。
【図５】図１の非折曲状態のクリップをサイレンサーに取付ける操作を示す斜視図である。
【図６】サイレンサーが折り曲げられた状態にある、図５のクリップ及びサイレンサーの斜視図である。
【図７】図６のクリップ付きサイレンサーをボデーパネルに取付ける操作を示す断面図である。
【図８】図７のクリップ付きサイレンサーをボデーパネルに取付けた状態を示す斜視図である。
【図９】図８のサイレンサーをボデーパネルに取付けた状態であって、サイレンサーを省略して、クリップとボデーパネルとの関係を示す斜視図である。
【符号の説明】
【００２１】
１  クリップ
２  サイレンサー
３  ボデーパネル
５  端末保持部
６  固定部
７  ヒンジ
９  板状部
１０  挟持片
１１  挟持片の先端
１３  固定部の基部
１４  パネル保持部
１５  係止肩
１７  切欠き
１８  パネル保持部の水平面
１９  長穴
２１  ロック爪
２２  係止肩を形成する係止穴
２３  サイレンサーの取付穴
２５  サイレンサーの端末部分
２６  サイレンサーの切欠き
３０  ボデーパネルの取付部
【図１】
2010144797.tif 000003
【図２】
2010144797.tif 000004
【図３】
2010144797.tif 000005
【図４】
2010144797.tif 000006
【図５】
2010144797.tif 000007
【図６】
2010144797.tif 000008
【図７】
2010144797.tif 000009
【図８】
2010144797.tif 000010
【図９】
2010144797.tif 000011